(57)【要約】      （修正有）【課題】対をなす挟持片間に見出し要素を挟持可能な閉じ姿勢をとり得る見出し要素収納部を有するファイルにおいて、両挟持片間からの見出し要素の落下を防止又は抑制しつつ、経時的に見出し要素収納部が膨らんで嵩張ったり見栄えが悪くなったりする不具合の発生も防止又は抑制するファイルを提供する。【解決手段】ファイル本体２と、このファイル本体２に設けられ対をなす挟持片である基片４と先片５との間に見出し要素である付箋Ｍを挟持可能な閉じ姿勢（Ｃ）をとり得る見出し要素収納部３とを備えたファイル１Ａに、基片４の下端部分を折り返して設けられるストッパー８と、このストッパー８を折り返した状態で安定させ当該ストッパー８により先片５が基片４から離れる方向に弾性付勢されるのを規制するストッパー固定手段９とを具備させる。【選択図】図１
2020032648.tif 000002
【特許請求の範囲】
【請求項１】
ファイル本体と、このファイル本体に設けられ対をなす挟持片間に見出し要素を挟持可能な閉じ姿勢をとり得る見出し要素収納部とを備えたファイルであって、
一方の挟持片の下端部分を折り返して設けられるストッパーと、このストッパーを折り返した状態で安定させ当該ストッパーにより他方の挟持片が前記一方の挟持片から離れる方向に弾性付勢されるのを規制するストッパー固定手段とを具備してなるファイル。
【請求項２】
前記ストッパー固定手段が、前記ストッパーとともに折り返され前記ファイル本体に固定されるストッパー固定要素により構成されている請求項１記載のファイル。
【請求項３】
前記見出し要素収納部の挟持片が、前記ファイル本体の一面に溶着により固定されたものであり、前記ストッパー固定要素も同一面においてファイル本体に溶着により固定されている請求項２記載のファイル。
【請求項４】
前記見出し要素収納部が、前記両挟持片を含む本体領域と、この本体領域に連続するストッパー形成領域に区成されたものであり、
前記ストッパー形成領域には、折り返し線を介して前記本体領域に連続する前記ストッパーと、このストッパーに連設され切り離し線を介して前記本体領域に隣接するストッパー固定要素とが設けられており、前記ストッパーを折り返した状態で前記ストッパー固定要素が前記本体領域から離間するように構成されている請求項２又は３記載のファイル。
【請求項５】
前記見出し要素収納部を展開した状態において、前記切り離し線が、前記折り返し線の一端から上方に伸びる鉛直部分と、この鉛直部分の上端から前記折り返し線と平行に伸びる水平部分とを有するＬ字状をなしており、前記折り返し線と前記ストッパー固定要素の下端との離間距離を、前記折り返し線と前記切り離し線の水平部分との離間距離よりも短く設定してある請求項４記載のファイル。
【請求項６】
前記見出し要素収納部が、前記両挟持片を含む本体領域を有するものであり、
前記本体領域には、前記ファイル本体の一面に基部が固定された一方の挟持片と、この一方の挟持片の先端に折り曲げ線を介して連続する他方の挟持片とが設けられており、他方の挟持片の先端に設けられた差し込み部のみを前記ファイル本体の一面と前記一方の挟持片との間に差し込むことにより当該見出し要素収納部が閉じ姿勢となるように構成されており、前記差し込み部が、中央部分が他の部分よりも先方に突出するように湾曲した形状をなしている請求項１、２、３、４又は５記載のファイル。
【請求項７】
前記見出し要素収納部が、前記両挟持片を含む本体領域を有するものであり、
前記本体領域には、前記ファイル本体の一面に基部が固定された一方の挟持片と、この一方の挟持片の先端に折り曲げ線を介して連続する他方の挟持片とが設けられており、他方の挟持片の先端に設けられた差し込み部のみを前記ファイル本体に形成したスリットに差し込むことにより当該見出し要素収納部が閉じ姿勢となるように構成され、前記差し込み部が、中央部分が他の部分よりも先方に突出するように湾曲した形状をなしている請求項１、２、３、４又は５記載のファイル。
【発明の詳細な説明】
【技術分野】
【０００１】
本発明は、見出し要素収納部を有するファイルに関する。
【背景技術】
【０００２】
従来、この種のファイルとして、表紙等を有するファイル本体と、このファイル本体に設けられ対をなす挟持片間に見出し要素を挟持可能な閉じ姿勢をとり得る見出し要素収納部とを備えたものが開発されている（例えば、特許文献１を参照）。
【０００３】
ところが、単にこれだけのものでは、温度条件など種々の悪条件が重なると、閉じ姿勢で使用している内に見出し要素収納部が膨らんで挟持片間に隙間が形成されることがある。このような隙間ができても、見出し要素が粘着性を有する付箋等の場合には大きな問題になり難いが、粘着性を有しない見出し用紙を用いた場合等には、両挟持片間からその見出し用紙が落下する可能性を否定することができない。
【０００４】
このような懸念を払しょくする方策として、例えば、一方の挟持片の下端部分を折り返してストッパーを形成し、そのストッパーによって両挟持片間からの見出し要素の落下を防止又は抑制することが考えられる。しかしながら、単にこれだけのものであると、折り返したストッパーにより前記他方の挟持片が前記一方の挟持片から離れる方向に弾性付勢されることになり、経時的に見出し要素収納部が膨らんで嵩張ったり見栄えが悪くなったりすることが判明した（第１の課題）。
【０００５】
また、前記見出し要素収納部が、ファイル本体の一面に基部が固定された一方の挟持片（基片）と、この一方の挟持片の先端に折り曲げ線を介して連続する他方の挟持片（先片）とを備え、先片の先端に設けられた差し込み部のみを前記ファイル本体の一面と基片との間に差し込むことにより当該見出し要素収納部が閉じ姿勢となるように構成された形式のものでは、先片の差し込み部がストッパーの弾性反発力により外されて閉じ姿勢が解除されてしまう虞もある。さらに、ストッパーが固定されていないと、見出し要素を交換するたびに、弾性反発力により開いたストッパーを元に戻す必要があり、前記差し込み部を前記ファイル本体の一面と基片との間に差し込みにくいという不具合も存在する（第２の課題）。
【先行技術文献】
【特許文献】
【０００６】
【特許文献１】特願２０１７−０６０１９６号明細書
【発明の概要】
【発明が解決しようとする課題】
【０００７】
請求項１〜５の発明は、少なくとも前述した第１の課題を解決することを目的としている。また、請求項６〜７の発明は、第１の課題に加えて第２の課題をも解消することを目的としている。
【課題を解決するための手段】
【０００８】
請求項１記載の発明に係るファイルは、ファイル本体と、このファイル本体に設けられ対をなす挟持片間に見出し要素を挟持可能な閉じ姿勢をとり得る見出し要素収納部とを備えたファイルであって、一方の挟持片の下端部分を折り返して設けられるストッパーと、このストッパーを折り返した状態で安定させ当該ストッパーにより他方の挟持片が前記一方の挟持片から離れる方向に弾性付勢されるのを規制するストッパー固定手段とを具備してなるものである。
【０００９】
請求項２記載の発明に係るファイルは、請求項１記載のものにおいて、前記ストッパー固定手段が、前記ストッパーとともに折り返され前記ファイル本体に固定されるストッパー固定要素により構成されているものである。
【００１０】
請求項３記載の発明に係るファイルは、請求項２記載のものにおいて、前記見出し要素収納部が、前記ファイル本体の一面に溶着により固定されたものであり、前記ストッパー固定要素も同一面においてファイル本体に溶着により固定されているものである。
【００１１】
請求項４記載の発明に係るファイルは、請求項２又は３記載のものにおいて、前記見出し要素収納部が、前記両挟持片を含む本体領域と、この本体領域に連続するストッパー形成領域に区成されたものであり、前記ストッパー形成領域には、折り返し線を介して前記本体領域に連続する前記ストッパーと、このストッパーに連設され切り離し線を介して前記本体領域に隣接するストッパー固定要素とが設けられており、前記ストッパーを折り返した状態で前記ストッパー固定要素が前記本体領域から離間するように構成されているものである。
【００１２】
請求項５記載の発明に係るファイルは、請求項４記載のものにおいて、前記見出し要素収納部を展開した状態において、前記切り離し線が、前記折り返し線の一端から上方に伸びる鉛直部分と、この鉛直部分の上端から前記折り返し線と平行に伸びる水平部分とを有するＬ字状をなしており、前記折り返し線と前記ストッパー固定要素の下端との離間距離を、前記折り返し線と前記切り離し線の水平部分との離間距離よりも短く設定してあるものである。
【００１３】
請求項６記載の発明に係るファイルは、請求項１、２、３、４又は５記載のものにおいて、前記見出し要素収納部が、前記両挟持片を含む本体領域を有するものであり、前記本体領域には、前記ファイル本体の一面に基部が固定された一方の挟持片と、この一方の挟持片の先端に折り曲げ線を介して連続する他方の挟持片とが設けられており、他方の挟持片の先端に設けられた差し込み部のみを前記ファイル本体の一面と前記一方の挟持片との間に差し込むことにより当該見出し要素収納部が閉じ姿勢となるように構成されており、前記差し込み部が、中央部分が他の部分よりも先方に突出するように湾曲した形状をなしているものである。
【００１４】
請求項７記載の発明に係るファイルは、請求項１、２、３、４又は５記載のものにおいて、前記見出し要素収納部が、前記両挟持片を含む本体領域を有するものであり、前記本体領域には、前記ファイル本体の一面に基部が固定された一方の挟持片と、この一方の挟持片の先端に折り曲げ線を介して連続する他方の挟持片とが設けられており、他方の挟持片の先端に設けられた差し込み部のみを前記ファイル本体に形成したスリットに差し込むことにより当該見出し要素収納部が閉じ姿勢となるように構成され、前記差し込み部が、中央部分が他の部分よりも先方に突出するように湾曲した形状をなしているものである。
【発明の効果】
【００１５】
請求項１〜５の発明によれば、少なくとも前述した第１の課題を解決することができる。また、請求項６〜７の発明によれば、第１の課題に加えて第２の課題をも解消することもできる。
【図面の簡単な説明】
【００１６】
【図１】本発明の第一実施形態に係るファイルを示す斜視図。
【図２】同実施形態に係るファイルを示す正面図。
【図３】同実施形態に係るファイルを示す背面図。
【図４】同実施形態に係るファイル本体及び見出し要素収納部の展開図。
【図５】同実施形態に係る見出し要素収納部を拡大して示す展開図。
【図６】同実施形態に係る見出し要素収納部の状態変化を示す拡大図。
【図７】同実施形態に係る見出し要素収納部の状態変化を示す拡大図。
【図８】同実施形態に係る見出し要素収納部の状態変化を示す拡大図。
【図９】同実施形態に係るファイルの作用説明図。
【図１０】同実施形態に係るファイルの作用説明図。
【図１１】本発明の第二実施形態に係るファイルを示す斜視図。
【図１２】同実施形態に係るファイルを示す正面図。
【図１３】同実施形態に係るファイルを示す背面図。
【図１４】同実施形態に係るファイル本体の展開図。
【図１５】同実施形態に係るファイルの作用説明図。
【図１６】同実施形態に係るファイルの作用説明図。
【発明を実施するための形態】
【００１７】
＜第一実施形態＞
本発明の第一実施形態に係るファイル１Ａは、図１〜図３に示すように、ファイル本体２と、このファイル本体２の外縁２ａから突出して設けられ、対をなす挟持片、具体的には一方の挟持片である基片４と他方の挟持片である先片５との間に見出し要素を挟持可能な閉じ姿勢（Ｃ）をとり得る見出し要素収納部３とを具備してなる。また、このファイル１Ａは、基片４の下端部分を折り返して設けられるストッパー８と、このストッパー８を折り返した状態で安定させ当該ストッパー８により先片５が基片４から離れる方向に弾性付勢されるのを規制するストッパー固定手段９とを具備してなる。このストッパー固定手段９は、ストッパー８とともに折り返されファイル本体２に固定されるストッパー固定要素９１により構成されている。
【００１８】
本実施形態を示す図１は、ファイル１Ａを示す斜視図である。図２はファイル１Ａを示す正面図であり、図３は同背面図である。図４はファイル本体２及び見出し要素収納部３を離間させた状態で示す展開図である。図５は見出し要素収納部３を拡大して示す展開図である。図６は見出し要素収納部３を図５に示す状態から後述する折り返し線３ｂで折り返した状態を示す図である。図７は見出し要素収納部３を図６に示す状態でファイル本体２に溶着した状態を示す図である。図８はファイル本体２に溶着した見出し要素収納部３を後述する折り曲げ線３ａで折り曲げて閉じ姿勢（Ｃ）とした状態を示す図である。図７及び図８では、ファイル本体２を想像線で示している。図９は、見出し要素収納部３を、基片４と先片５との間に見出し要素である付箋Ｍを挿入可能な開き姿勢（Ｏ）にした状態を示す図である。なお、見出し要素は付箋Ｍに限らず、粘着力を有しない見出し用紙等であってもよいのはもちろんである。同図の上欄は、この見出し要素収納部３を拡大して示す斜視図であり、下欄は、この斜視図におけるＡ−Ａ線に沿った概略断面図である。図１０は、この見出し要素収納部３を閉じ姿勢（Ｃ）に保持した状態を示すものである。同図の上欄は、この見出し要素収納部３を拡大して示す斜視図であり、下欄は、この斜視図におけるＢ−Ｂ線に沿った概略断面図である。これらの概略断面図では、わかりやすくするために、ファイル本体２及び見出し要素収納部３をそれぞれ構成するシートの厚みを誇張して示している。
【００１９】
詳述すると、ファイル本体２は、図１〜図４に示すように、透光性を有するシートを二つ折りにして表表紙６と裏表紙７とを形成したもので、表表紙６と裏表紙７との長辺を構成する外縁２ａ及びこの外縁２ａに隣接する一方の短辺を構成する一方の縁２ｂが解放されているとともに、他方の短辺を構成する他方の縁２ｃが相互に溶着されている。この実施形態では、例えば、図１〜図３における下の縁同士が短辺溶着部２ｄにおいて溶着されている。
【００２０】
見出し要素収納部３は、図１〜図３、図７及び図８に示すように、ファイル本体２の一面、具体的には裏表紙７の外面７ａに溶着により固定されたものである。この見出し要素収納部３は、両挟持片すなわち基片４と先片５とを含む本体領域３Ｘと、この本体領域３Ｘに連続するストッパー８とこのストッパー８に連設されたストッパー固定要素９１とを含むストッパー形成領域３Ｙとに区成されている。これら本体領域３Ｘ及びストッパー形成領域３Ｙは、一枚の透光性シートを折り曲げることにより一体に形成されている。
【００２１】
この見出し要素収納部３は、先片５の先端部５ａに設けられた差し込み部５１のみをファイル本体２の一面すなわち裏表紙７の外面７ａと基片４との間に差し込むことにより閉じ姿勢（Ｃ）となるように構成されている。
【００２２】
本体領域３Ｘは、図１〜図３及び図５〜図８に示すように、透光性シートを二つ折にして、基部４１がファイル本体２の外面に固定された基片４と、この基片４の先端に折り曲げ線３ａを介して連続する先片５とが設けられているものである。すなわち、基片４及び先片５は、双方とも透光性を有する。
【００２３】
詳述すれば、基片４は、図１〜図３及び図５〜図８に示すように、表紙６の外縁２ａよりも外方に突出する基片本体４０と、この基片本体４０の基端に連続し裏表紙７の外面７ａ側に溶着された基部４１とを備えたものである。基片本体４０は、見出し要素である付箋Ｍに対応する形状及び寸法を有する、例えば長方形状のものであり、この基片本体４０に付箋Ｍの貼付領域４０Ａを設けている。この付箋Ｍの貼付領域４０Ａの上端に対応する部位には、型押しによる線４０ｂが設けられている。基部４１は、基片本体４０よりも長手寸法が大きいものである。また、この基部４１は、ファイル本体２の外縁２ａと略平行な基本溶着部４１ｂ、この基本溶着部４１ｂよりも上方に位置する第１の補助溶着部４１ｃ及び基本溶着部４１ｂよりもファイル本体２の外縁２ａ寄りに位置する第２の補助溶着部４１ｄにおいて裏表紙７に溶着されたものである。
【００２４】
先片５は、図１〜図３及び図５〜図８に示すように、基片本体４０の先端に折り曲げ線３ａを介して連続させたもので、折り曲げ線３ａで折り曲げることにより、当該先片５が基片本体４０の全体に重なり合うとともに、その先端に設けられた差し込み部５１が基片４の基部４１の一部に重なり合うようになっている。この差し込み部５１は、中央部分５１ａが他の部分よりも先方に突出するように湾曲した形状、より具体的には円弧状をなしている。そして、閉じ姿勢（Ｃ）では、差し込み部５１が第２の補助溶着部４１ｄに略沿った形状となるように構成している。
【００２５】
ストッパー形成領域３Ｙには、図１〜図３及び図５〜図８に示すように、折り返し線３ｂを介して本体領域３Ｘに連続するストッパー８と、このストッパー８に連設され切り離し線３ｃを介して本体領域３Ｘに隣接するストッパー固定要素９１とが透光性シートを折り曲げることにより設けられており、ストッパー８を折り返した状態でストッパー固定要素９１が本体領域３Ｘから離間するように構成されている。
【００２６】
見出し要素収納部３を展開した状態において、図５に示すように、切り離し線３ｃは、折り返し線３ｂの一端から上方に伸びる鉛直部分３ｃ１と、この鉛直部分３ｃ１の上端から折り返し線と平行に伸びる水平部分３ｃ２とを有するＬ字状をなしており、折り返し線３ｂとストッパー固定要素９１の下端９１ａとの離間距離ａを、折り返し線３ｂと切り離し線３ｃの水平部分３ｃ２との離間距離ｂよりも短く設定してある。
【００２７】
図６に示すように、透光性シートを図５に示す状態から折り返し線３ｂで折り返し、ストッパー８を基片本体４０に重ね合わせた状態では、上述したように折り返し線３ｂとストッパー固定要素９１の下端９１ａとの離間距離ａを折り返し線３ｂと切り離し線３ｃの水平部分３ｃ２との離間距離ｂよりも短く設定してあるので、前述したようにストッパー固定要素９１が本体領域３Ｘから離間している。
【００２８】
この見出し要素収納部３は、図７に示すように、開き姿勢（Ｏ）でファイル本体２の背表紙７の背面７ａに基片４の基部４１が溶着される。このとき、ストッパー固定要素９１も同時にファイル本体２の背表紙７の背面７ａに溶着される。より具体的には、基片４の基部４１は、ファイル本体２の外縁２ａと略平行な基本溶着部４１ｂ、この基本溶着部４１ｂよりも上方に位置する第１の補助溶着部４１ｃ及び基本溶着部４１ｂよりもファイル本体２の外縁２ａ寄りに位置する第２の補助溶着部４１ｄにおいて裏表紙７に溶着される。ストッパー固定要素９１は、ファイル本体２の外縁２ａと略平行な基本溶着部９１ｂ、この基本溶着部９１ｂよりも下方に位置する第１の補助溶着部９１ｃ及び基本溶着部９１ｂよりもファイル本体２の外縁２ａ寄りに位置する第２の補助溶着部９１ｄにおいて裏表紙７に溶着される。基本溶着部９１ｂは、基部４の基本溶着部４１ｂの延長線上に位置している。また、第２の補助溶着部９１ｄも基部４の第２の補助溶着部４１ｄの延長線上に位置している。
【００２９】
図７に示す状態から本体領域３Ｘを折り曲げ線３ａで折り曲げ、先片５の差し込み部５１を裏表紙７の外面７ａと基片４との間に差し込んで図８の状態とすると、見出し要素収納部３が閉じ姿勢（Ｃ）となる。ここで、基片４の第２の補助溶着部４１ｄ及びストッパー固定要素９１の第２の補助溶着部９１ｄは、先片５の差し込み部５１の先端にほぼ沿っている。
【００３０】
開き姿勢（Ｏ）においては、図９に示すように、基片４における付箋Ｍの貼付領域４０Ａが解放されており、この貼付領域４０Ａに付箋Ｍを貼り付けることができる。そして、この貼付領域４０Ａに付箋Ｍを貼った状態で、付箋Ｍの下端部を基片本体４０とストッパー８との間に挟み込み、その状態で折り曲げ線３ａを境にして先片５を基片本体４０に重なるように折り返すことによって、この先片５と基片本体４０とで付箋Ｍを挟み込むことができる。この挟持状態において先片５の差し込み部５１を基片４の基部４１とファイル本体２の裏表紙７との間に挿入し挟持させることにより、この見出し要素収納部３が前述した閉じ姿勢（Ｃ）となり、図１０に示すように、この閉じ姿勢（Ｃ）が維持される。ここで、ストッパー８に連接されたストッパー固定要素９１がファイル本体２の背表紙７の外面７ａに溶着により固定されているので、閉じ姿勢（Ｃ）においてストッパー８により先片５が基片４から離れる方向に弾性付勢されることが規制されるようになっている。
【００３１】
このような構成のものであれば、ストッパー８によって基片４と先片５との間からの付箋Ｍの落下を防止又は抑制することができる。しかも、閉じ姿勢（Ｃ）でストッパー８により先片５が基片４から離れる方向に弾性付勢されることがストッパー固定要素９１により規制されるので、経時的に見出し要素収納部３が膨らんで嵩張ったり見栄えが悪くなったりするという不具合の発生も防止又は抑制することができる。
＜第二実施形態＞
次いで、本発明の第二実施形態に係るファイル１Ｂについて説明する。以下の説明において、前述した第一実施形態におけるものと同一又は対応する各部位には、同一の名称及び符号を付し、説明を省略又は簡略化する。
【００３２】
このファイル１Ｂは、以下の点で第一実施形態のファイル１Ａと異なっており、その他の点では第一実施形態のファイル１Ａと同様の構成を有している。以下、第一実施形態との相違点について説明する。
【００３３】
本実施形態を示す図１１は、ファイル１Ｂを示す斜視図である。図１２はファイル１Ｂを示す正面図であり、図１３は同背面図である。図１４はファイル本体２を示す展開図である。図１５は、見出し要素収納部３を、基片４と先片５との間に付箋Ｍを挿入可能な開き姿勢（Ｏ）にした状態を示す図である。同図の上欄は、この見出し要素収納部３を拡大して示す斜視図であり、下欄は、この斜視図におけるＣ−Ｃ線に沿った概略断面図である。図１６は、この見出し要素収納部３を閉じ姿勢（Ｃ）に保持した状態を示すものである。同図の上欄は、この見出し要素収納部３を拡大して示す斜視図であり、下欄は、この斜視図におけるＤ−Ｄ線に沿った概略断面図である。これらの概略断面図では、わかりやすくするために、ファイル本体２及び見出し要素収納部３をそれぞれ構成するシートの厚みを誇張して示している。
【００３４】
図１１〜図１３に示すように、このファイル１Ｂは、裏表紙７のコーナー部７ｃの内面７ｂに、表表紙６のコーナー部６ｃを差し込んで保持するための脱落防止ストッパー１０を設けている。この脱落防止ストッパー１０は、図１４に示すように、基端部を折り曲げ線１０ａを介して裏表紙７に一体に形成されたもので、折り曲げ線１０ａを境にこの脱落防止ストッパー１０を裏表紙７の内面７ｂ側に折り返したうえで、該脱落防止ストッパー１０の先端縁部１０ｂをストッパー溶着部１０ｃにおいて裏表紙７に溶着している。
【００３５】
見出し要素収納部３は、第一実施形態のものと同一の構成のものであり、先片５の先端部５ａに設けられた差し込み部５１のみをファイル本体２の一面すなわち裏表紙７の外面７ａと基片４との間に差し込むことにより閉じ姿勢（Ｃ）となるように構成されている。
【００３６】
開き姿勢（Ｏ）においては、図１５に示すように、基片４における付箋Ｍの貼付領域４０Ａが解放されており、この貼付領域４０Ａに付箋Ｍを貼り付けることができる。そして、この貼付領域４０Ａに付箋Ｍを貼った状態で、付箋Ｍの下端部を基片本体４０とストッパー８との間に挟み込み、その状態で折り曲げ線３ａを境にして先片５を基片本体４０に重なるように折り返すことによって、この先片５と基片本体４０とで付箋Ｍを挟み込むことができる。この挟持状態において先片５の差し込み部５１を基片４の基部４１とファイル本体２の裏表紙７との間に挿入し挟持させることにより、この見出し要素収納部３が前述した閉じ姿勢（Ｃ）となり、図１６に示すように、この閉じ姿勢（Ｃ）が維持される。ここで、ストッパー８に連接されたストッパー固定要素９１がファイル本体２の背表紙７の外面７ａに溶着により固定されているので、閉じ姿勢（Ｃ）においてストッパー８により先片５が基片４から離れる方向に弾性付勢されることが規制されるようになっている。
【００３７】
このような構成のものであれば、前述した第一実施形態と同様に、ストッパー８によって基片４と先片５との間からの付箋Ｍの落下を防止又は抑制しつつ、ストッパー８により先片５が基片４から離れる方向に弾性付勢されるのがストッパー固定要素９１により規制されるので、経時的に見出し要素収納部が膨らんで嵩張ったり見栄えが悪くなったりするという不具合の発生も防止又は抑制することができる。
【００３８】
また、ストッパー８により先片５が基片４から離れる方向に弾性付勢されるのがストッパー固定要素９１により規制されていることにより、従来存在していた、見出し要素である付箋Ｍを交換するたびに弾性反発力により開いたストッパー８を元に戻す必要があり、差し込み部５１をファイル本体２の一面（背表紙７の背面７ａ）と基片４との間に差し込みにくいという不具合を解消することもできる。
【００３９】
なお、本発明は以上に述べた実施形態に限らない。
【００４０】
例えば、見出し要素は付箋に限らず、粘着力を有しない見出し用紙や、糸状のもの等であってもよい。すなわち、本発明によれば、付箋はもちろんのこと、粘着力を有しない見出し用紙などの落下も効果的に防止又は抑制することが可能となる。
【００４１】
また、以上説明した各実施形態では、透光性を有するシートを二つ折りにしてファイル本体の表表紙と裏表紙とを形成しているが、ファイル本体を構成するシートについては、透光性を有するものに限られない。また、表表紙を形成するシートと裏表紙を形成するシートとを重ね合わせ隣接する二辺を溶着等の方法により止着してなるファイル本体を採用してももちろんよい。
【００４２】
加えて、見出し要素収納部は、ファイル本体の外縁のどの位置に設けてもよい。また、見出し要素収納部の位置がそれぞれ異なる複数のファイルを組み合わせて利用するとなおよい。
【００４３】
以上説明した各実施形態では、見出し要素収納部がファイル本体に固定された基片とこの基片に対して開閉可能な先片とを備えたものについて説明したが、見出し要素収納部は、対をなす挟持片の基端をファイル本体にそれぞれ固定した筒状のもの等であってもよい。
【００４４】
また、以上説明した各実施形態では、見出し要素収納部の基片及び先片がいずれも見出し要素収納部内に収納された見出し要素に記載された内容をすべて外部から解読できるような透明性を有するが、見出し要素収納部の基片及び先片の一方のみが透明性を有するものであってもよい。さらに、見出し要素収納部の基片及び先片の一方又は双方が、前記見出し要素の色や記号の形などを外部から判別できる程度のすりガラス的な半透明性を有するもの、あるいは、不透明なシート素材に網目や窓を形成したものであってもよい。
【００４５】
以上説明した各実施形態では、ストッパーは、ファイル本体に固定された一方の挟持片すなわち基片の下端部分を折り返して設けているが、ファイル本体に固定されていない他方の挟持片すなわち先片の下端部分を折り返して設けてもよい。
【００４６】
ストッパー固定手段は、前述した各実施形態におけるもののようにストッパーとともに折り返されファイル本体に固定されるストッパー固定要素により構成されるもの以外であってもよく、例えば折り曲げ線近傍でストッパー固定要素と挟持片とを溶着するようなものや、ストッパーと別部材により構成したもの等、種々変更が可能である。但し、前述した各実施形態におけるストッパー固定手段の構成によれば、簡易な構成及び少ない製造工数により、見出し保持部の下端部の膨らみを抑制することができるという効果を得ることができる。
【００４７】
特に、前述した各実施形態のように、基片の基部がファイル本体の一面においてファイル本体に溶着により固定されているとともに、ストッパー固定要素も同一面においてファイル本体に溶着により固定されている構成であれば、一度の溶着工程で基片の基部とストッパー固定要素とをファイル本体に固定することができる。そのため、製作に要する工数を最小限にとどめることができる。
【００４８】
加えて、前述した各実施形態のように、見出し要素収納部が、両挟持片を含む本体領域と、この本体領域に連続するストッパー形成領域に区成され、ストッパー形成領域に、折り返し線を介して本体領域に連続するストッパーと、このストッパーに連設され切り離し線を介して本体領域に隣接するストッパー固定要素とが設けられており、前記ストッパーを折り返した状態でストッパー固定要素が本体領域から離間するように構成であれば、見出し要素収納部をファイル本体に溶着する際に本体領域とストッパー固定要素が重なることによる不具合の発生を抑制することができる。
【００４９】
見出し要素収納部を展開した状態における切り離し線の形状も、前述した各実施形態におけるものに限らない。但し、前述した各実施形態のように、折り返し線の一端から上方に伸びる鉛直部分と、この鉛直部分の上端から折り返し線と平行に伸びる水平部分とを有するＬ字状をなしているものであれば、ストッパーを折り返してもストッパー固定部を本体領域に隣接させることができる。その上で、折り返し線とストッパー固定要素の下端との離間距離を、折り返し線と切り離し線の水平部分との離間距離よりも短く設定してあれば、上述したようなストッパー固定要素が本体領域から離間する構成を実現できる。
【００５０】
そして、差し込み部の形状も、前述した各実施形態におけるものに限らない。但し、前述した各実施形態のように、中央部分が他の部分よりも先方に突出するように湾曲した形状をなしているものであれば、差し込み部が差し込みやすく抜けにくい構成となる。すなわち、閉じ姿勢では差し込み部の中央部分が深く差し込まれるので先片が不意に抜けてしまうことが起こりにくい。その上で、差し込み部の両端部分が浅く差し込まれているので、閉じ姿勢から開き姿勢とする操作を行う際には先片の端部に手指を掛ける操作により先片が差し込まれた状態を容易に解除できる。また、閉じ姿勢ではストッパー近傍で差し込み部が浅く差し込まれるが、上述したようにストッパーの弾性復帰による反発が抑制されているので、意識して閉じ姿勢を解除する操作を行わない限り容易に挟持片が抜けてしまうことがない。
【００５１】
加えて、挟持片の差し込み部の中央部分が他の部分よりも先方に突出するように湾曲した形状をなしているものであれば、ファイル本体に設けた直線状のスリットに差し込み部を挿入して閉じ姿勢とすることも可能になる。この場合、差し込み部を有しない挟持片及び差し込み部を有する挟持片の双方とファイル本体とを共通のシート素材により一体に形成する等、ファイル本体の一部を利用して見出し保持部を構成することも容易になる。このような構成に限らず、ファイル本体の一部を利用して見出し保持部を構成する種々の構成を採用してもよい。
【００５２】
その他、本発明の趣旨を損ねない範囲で種々に変形してよい。
【符号の説明】
【００５３】
１Ａ、１Ｂ…ファイル
２…ファイル本体
３…見出し要素収納部
３Ｘ…本体領域
３Ｙ…ストッパー形成領域
３ｂ…折り返し線
３ｃ…切り離し線
３ｃ１…鉛直部分
３ｃ２…水平部分
４…一方の挟持片（基片）
５…他方の挟持片（先片）
５１…差し込み部
７ａ…ファイル本体の一面（背表紙の背面）
８…ストッパー
９…ストッパー固定手段
９１…ストッパー固定要素
（Ｃ）…閉じ姿勢
【図１】
2020032648.tif 000003
【図２】
2020032648.tif 000004
【図３】
2020032648.tif 000005
【図４】
2020032648.tif 000006
【図５】
2020032648.tif 000007
【図６】
2020032648.tif 000008
【図７】
2020032648.tif 000009
【図８】
2020032648.tif 000010
【図９】
2020032648.tif 000011
【図１０】
2020032648.tif 000012
【図１１】
2020032648.tif 000013
【図１２】
2020032648.tif 000014
【図１３】
2020032648.tif 000015
【図１４】
2020032648.tif 000016
【図１５】
2020032648.tif 000017
【図１６】
2020032648.tif 000018